(57)【要約】      （修正有）【課題】従来のビデオファイルのファイルサイズが大き過ぎることや、複数のビデオファイルで構成されているといった欠点を回避でき、ブラウザによりオンラインでビデオを見るとき、より小さいファイルサイズで提供し、ファイルのダウンロード時間を短縮し、且つ速くブラウズできるようにする。ファイルサイズを効率的に削減でき、インターネットの帯域幅の制限を回避して、電子商取引に応用できるようにする。【解決手段】フレームレートによりＰピクチャの変化量がＰフレームの差値より大きいビデオデータのみをデコードする。【選択図】図１
2005323334.tif 000002
【特許請求の範囲】
【請求項１】
複数のビデオ信号を受信して、連続するビデオフレームにデコードするデコーダーと、
前記ビデオフレームのフレームレートを提供するタイマーと、
前記タイマーのフレームレートによって、連続するキャプチャ・フレームとして少なくとも２つのフレームを捕らえる画像キャプチャ・ユニットと、
前記キャプチャ・フレームを一時的に保存し、および前記キャプチャ・フレームを単一の動画ファイルに転送する転送ユニットと、
を備えたことを特徴とする、コンピュータシステムにおける連続するビデオ信号を転送する転送システム。
【請求項２】
請求項１記載の転送システムにおいて、前記ビデオフレームはＭＰＥＧ形式であることを特徴とする、コンピュータシステムにおける連続するビデオ信号を転送する転送システム。
【請求項３】
請求項１記載の転送システムにおいて、前記単一の動画ファイルはＪＰＥＧ形式であることを特徴とする、コンピュータシステムにおける連続するビデオ信号を転送する転送システム。
【請求項４】
請求項１記載の転送システムにおいて、前記単一の動画ファイルはＧＩＦ形式であることを特徴とする、コンピュータシステムにおける連続するビデオ信号を転送する転送システム。
【請求項５】
デコーダーを使用し、複数のビデオ信号を受信して、連続するビデオフレームにデコードするステップと、
タイマーを使用し、前記ビデオフレームのフレームレートを提供するステップと、
前記タイマーのフレームレートによって、連続するキャプチャ・フレームとして少なくとも二つのフレームを捕らえるステップと、
前記キャプチャ・フレームを単一の動画ファイルに転送するステップと、
を含むことを特徴とする、連続するビデオ信号を転送するコンピュータシステムの転送方法。
【請求項６】
請求項５記載の転送方法において、前記ビデオフレームはＭＰＥＧ形式であることを特徴とする、連続するビデオ信号を転送するコンピュータシステムの転送方法。
【請求項７】
請求項５記載の転送方法において、前記単一の動画ファイルはＪＰＥＧ形式であることを特徴とする連続するビデオ信号を転送するコンピュータシステムの転送方法。
【請求項８】
請求項５記載の転送方法において、前記単一の動画ファイルはＧＩＦ形式であることを特徴とする、連続するビデオ信号を転送するコンピュータシステムの転送方法。
【発明の詳細な説明】
【技術分野】
【０００１】
本発明はコンピュータシステムにおける連続するビデオ信号を転送する転送システムとその方法に関し、特に、フレームレートの設定及びＰフレームの差値により、画像キャプチャ・ユニットが複数のフレームをキャプチャするコンピュータシステムにおける転送システムに関する。
【背景技術】
【０００２】
コンピュータの発展は、早期の真空管を用いた初期の第１世代のコンピュータから第２世代、第３世代を経て今日のパソコンまで、時間、不快なユーザ・インタフェースおよび価格を経て、人々の生活に入り込んでいる。情報技術の進展によって、コンピュータは更に電化製品の代替としても発展し、人々がコンピュータによりテレビや音楽、ＤＶＤ、ＶＣＤなどを楽しんでいる。
【０００３】
２０００年以降のインターネットの目覚しい発展により、人々はインターネットで売買行為をできるようになった。ｅ−Ｍａｒｋｅｔｅｒ社による、２０００年〜２００４年の企業と消費者の取引（Ｂ２Ｃ、Ｂｕｓｉｎｅｓｓ  ｔｏ  Ｃｕｓｔｏｍｅｒ）に関する研究と予測によれば、ヨーロッパでの年複合成長率は１１８％に達し、アジアでは８７％に達する。更に、モバイルコマース（ｍｏｂｉｌｅ  ｃｏｍｍｅｒｃｅ）の発展により時間および空間に対する柔軟性が増すので、企業はこの発展に注目し、その上に新たなビジネス競争を展開する。
【０００４】
インターネットの発展により企業は新たな販路を見つけることができた。使用者がブラウザでウェブを閲覧し、インターネットの情報を取得するウェブ情報のアプリケーションにて、人々に直接にサービスを提供することが開始された。例えば、インターネットショッピングやインターネット投票のようなサービスである。企業は、インターネットショッピングの消費者を更に引き寄せるため、しばしば商品の特色の情報をインターネット上にビデオ形式で発表し、消費者は、オンラインで商品を閲覧し、購買欲望を起こして注文をする。
【０００５】
現在、コンピュータシステムでは、多数のビデオデータがＭＰＥＧのコード形式で圧縮される。一般的な圧縮技術は離散コサイン変換（Ｄｉｓｃｒｅｔｅ  Ｃｏｓｉｎｅ  Ｔｒａｎｓｆｏｒｍ、ＤＣＴ）や、量子化（ｑｕａｎｔｉｚａｔｉｏｎ）、ハフマン符号化（Ｈｕｆｆｍａｎ  ｅｎｃｏｄｉｎｇ）である。アルゴリズムでは各フレームのサイズが同じでなければならない。よって、アルゴリズムは各フレームのサイズが同じとなるように圧縮率をダイナミックに修正するが、フレームとフレームの間に更なる圧縮がある。この圧縮はフレーム間圧縮（ｉｎｔｅｒｆｒａｍｅ  ｃｏｍｐｒｅｓｓｉｏｎ）と呼ばれる。フレーム間圧縮の方法は、フレームを移行するとき、変化の少ない部分の情報を省略するが、それぞれのフレームを完全に圧縮することよりフレーム間の変化しか現れなくなる。
【０００６】
ＭＰＥＧにおいては、Ｉ、Ｐ、Ｂの３種類のピクチャによってビデオが構成されている。例えば、離散コサイン変換の圧縮方法は、ビデオをＤＣＴ変換して、（人間の視覚にはあまり現れない）高周波成分を捨て、低周波成分を取り出す。そのため、Ｉピクチャは「フレーム内符号化画像」と呼ばれるが、これがビデオセットの１枚目となる。また、ビデオの全体の画像情報を含んでいるので、単にデコードして表示することができる。Ｐピクチャは、フレーム間順方向予測符号化画像とも呼ばれ、過去のＩピクチャとＰピクチャを参考画像とし、画像の同じ部分を捨てることにより差分を収容する。Ｂピクチャは、双方向予測符号化画像とも呼ばれ、前後にある画像には、同じ動作が時間による差分を持って蓄積されるので、所々に特別な画像を入れ、前後にある画像と比較し、アルゴリズムの圧縮効率を向上させる。これらのデータ量は、Ｉピクチャが最も大きく、ＰピクチャはＩピクチャとＢピクチャの中間であり、Ｂピクチャが最も小さくなる。Ｉピクチャ、Ｐピクチャ、Ｂピクチャなど複数の画像からなるデータはＧＯＰ（Ｇｒｏｕｐ  ｏｆ  Ｐｉｃｔｕｒｅｓ）と呼ばれる。
【０００７】
ＭＰＥＧ圧縮の形式については、一般的にビデオファイルは３種類のファイル形式（ＶＯＢファイル、ＩＦＯファイル、ＢＵＰファイル）を複数含み、再生可能である。各々のＶＯＢファイルはビデオや音声、字幕など実際のデータが入っているファイルである。各々のＩＦＯファイルは、制御情報ファイルであり、音声、字幕の選択やチャプタ情報などが書かれたファイルである。各々のＢＵＰファイルは、ＩＦＯファイルのバックアップファイルである。一般的なＤＶＤはＭＰＥＧ２形式によるビデオ規格であり、フレームレートは２９．９７フレーム／秒、転送速度は３〜１０Ｍｂ／秒すなわち１８０〜６００Ｍｂ／分にもなる。そのため、この圧縮形式による商品紹介のファイルで、ウェブにおいて消費者に商品情報を提供するとすれば、これらの３種類のファイルを提供する上で、ファイルのサイズと帯域幅の制限により宣伝の目的が達成できない。
【０００８】
この要求に的確に対応して様々なビデオの転送システムが発展している。しかし、これらの転送システムは、ビデオファイルの全ての内容を他のファイルに転送するが、ビデオファイルにより商品の特色を表現する企業の要求を満足することはできず、またファイルの内容がほとんど同じである等の欠点がある。その上、使用者はビデオファイルを見る前にとても長い時間待たされる可能性があるので、その商品に悪いイメージを残し、購買欲望を下げ、注文を減少させることになる。
【発明の開示】
【発明が解決しようとする課題】
【０００９】
従来技術には、ビデオファイルのファイルサイズが大きすぎる、あるいは複数のビデオファイルがあるといった欠点があった。更に、複数種類のファイルを提供できず、またファイルサイズおよび帯域幅の制限があるので、宣伝目的を達成することが困難であり、企業の商品宣伝の実務に応用する価値を向上させることができなかった。
【００１０】
本発明の目的の１つは、コンピュータシステムにおいて、連続するビデオ信号を転送する転送システム、およびその方法を提供することにある。
【００１１】
本発明の他の目的は、フレームレートと予定のＰピクチャの変化量とを変更することにより、デコーダーのデコードしたビデオデータをダイナミックにキャプチャし、キャプチャされるビデオデータの変動性を上げることにある。
【００１２】
本発明の更に他の目的は、ディスプレイ・ユニットによりビデオを再生するとともに、画面キャプチャ・ユニットによりディスプレイ・ユニットのビデオデータをキャプチャし、第２のストレージに保存し、ビデオ編集ユニットにより、第２のストレージに保存されたビデオデータに対して追加、削除、移動などの動作をすることにより、ビデオ再生とビデオ編集を同時に可能にすることにある。
【００１３】
本発明の更に他の目的は、キャプチャの時間と予定のＰピクチャの変化量とを変更することにより、キャプチャ時間を短縮し、予定のＰピクチャの変化量を向上し、より少ない変化量のＰピクチャのキャプチャをしてファイルサイズを効率的に減少させることにある。
【００１４】
本発明の更に他の目的は、インターネットの帯域幅の制限を回避し、電子商取引の実務における適用を可能にすることにある。
【００１５】
本発明の更に他の目的は、消費者がブラウザによりオンラインで閲覧する場合に、より小さいのファイルサイズを提供してファイルのダウンロード時間を短縮し、短時間の閲覧を可能にすることにある。
【課題を解決するための手段】
【００１６】
本発明は、コンピュータシステムにおける、連続するビデオ信号を転送する転送システムを提供する。本発明のシステムは、フレームレートを提供するタイマーと、Ｐフレームの差値を提供する検出器と、このフレームレートによりＰピクチャの変化量より大きい該Ｐフレームの差値を持つ、デコーダーにデコードされたビデオデータをキャプチャする画面キャプチャ・ユニットと、キャプチャされたビデオデータをコード圧縮する転送ユニットを含む。
【００１７】
また、本発明は、連続するビデオ信号を転送するコンピュータシステムの転送方法を提供する。本発明の方法は、画像キャプチャ・ユニットによりタイマーのフレームレートと検出器のＰフレームの差値を読み取ること、デコーダーにより第１ストレージの少なくとも１つのビデオデータを読み取ってデコードすること、ディスプレイ・ユニットによりデコードされたビデオデータを読み取って再生するとき、画像キャプチャ・ユニットがタイマーのフレームレートと検出器のＰフレームの差値によって、デコードされたビデオデータをキャプチャすること、転送ユニットにより第２のストレージに保存されるビデオデータをコード圧縮して、より小さいサイズのビデオファイル或いは動画ファイルに転送することを含む。
【００１８】
本発明に係る解決手段を更に具体的に説明すると次の通りである。
【００１９】
（第１実施態様）
複数のビデオ信号を受信して、連続するビデオフレームにデコードするデコーダーと、
前記ビデオフレームのフレームレートを提供するタイマーと、
前記タイマーのフレームレートによって、連続するキャプチャ・フレームとして少なくとも２つのフレームを捕らえる画像キャプチャ・ユニットと、
前記キャプチャ・フレームを一時的に保存し、前記キャプチャ・フレームを単一の動画ファイルに転送する転送ユニットと、
を備えたことを特徴とする、コンピュータシステムにおける、連続するビデオ信号を転送する転送システム。
【００２０】
（第２実施態様）
第１実施態様において、前記ビデオフレームがＭＰＥＧ形式である。
【００２１】
（第３実施態様）
第１実施態様において、前記単一の動画ファイルがＪＰＥＧ形式である。
【００２２】
（第４実施態様）
第１実施態様において、前記単一の動画ファイルがＧＩＦ形式である。
【００２３】
（第５実施態様）
デコーダーを使用し、複数のビデオ信号を受信して連続するビデオフレームにデコードするステップと、
タイマーを使用し、前記ビデオフレームのフレームレートを提供するステップと、
前記タイマーのフレームレートによって、連続するキャプチャ・フレームとして少なくとも二つのフレームを捕らえるステップと、
前記キャプチャ・フレームを単一の動画ファイルに転送するステップと、
を含むことを特徴とする、連続するビデオ信号を転送するコンピュータシステムの転送方法。
（第６実施態様）
第５実施態様において、前記ビデオフレームがＭＰＥＧ形式である。
【００２４】
（第７実施態様）
第５実施態様において、前記単一の動画ファイルがＪＰＥＧ形式である。
【００２５】
（第８実施態様）
第５実施態様において、前記単一の動画ファイルがＧＩＦ形式である。
【発明の効果】
【００２６】
本発明は、使用者側の要求を満足し、キャプチャ時間とＰフレームの差値とをダイナミックに設定可能である。また、ビデオ編集ユニットの提供により、キャプチャされたビデオを滑らかに表示でき、予想される宣伝効果を生じる。更に、本発明は電子商取引に応用可能であり、帯域幅が制限される場合にも、より小さいサイズのファイルを提供し、アクセススピードを効果的に向上し、使用者側のファイルダウンロード時間を短縮することができる。
【発明を実施するための最良の形態】
【００２７】
本発明の構造の特徴及びその効果を更に理解容易とするため、以下に本発明を実施形態で詳細に説明する。
【００２８】
図１は、本発明の連続するビデオ信号を転送するコンピュータシステムを示す。図１に於いて、この構造は、入力ユニット１０が使用者側からのビデオコード転送の指令を入力し、中央処理装置１５がこの指令を受信し、画像キャプチャ・ユニット２０を作動させてビデオをキャプチャする。まず、使用者が第１ストレージ３０に少なくとも１つのビデオデータを提供し、デコーダー３５が第１ストレージ３０に保存するビデオデータをデコードしてから、タイマー２５が提供したフレームレートにより、ビデオのキャプチャタイミングを設定し、画像キャプチャ・ユニット２０がこのフレームレートによりデコーダー３５のデコードしたビデオデータをキャプチャし、第２ストレージ４５に保存し、その後、転送ユニット５５が第２ストレージ４５に保存されたビデオデータをコード圧縮してより小さいサイズの動画ファイル或いはビデオファイルを形成する。
【００２９】
上述のデコーダー３５が読み取ったビデオデータは複数のビデオ信号であり、デコードすることで、連続するビデオフレームになる。上述の画像キャプチャ・ユニット２０はキャプチャのビデオとして、フレームレートによって、デコードされたビデオフレームの少なくとも２つをキャプチャする。
【００３０】
その後に、転送ユニット５５はモーションＪＰＥＧ（Ｍｏｔｉｏｎ  ＪＰＥＧ）圧縮方式の動画ファイル、モーションＧＩＦ（Ｍｏｔｉｏｎ  ＧＩＦ）圧縮方式の動画ファイル或いは他の動画の圧縮方式を提供する。その上に、コンピュータに、本発明のコンピュータシステムにおける、連続するビデオ信号を転送する転送システムをインストールし、この方法を実行するとき、コンピュータシステムには、中央処理装置１５が入力ユニット１０からのビデオコード転送の指令によりビデオをキャプチャするように設定できる。
【００３１】
上述の第１ストレージ３０に保存するビデオデータはＭＰＥＧのコード形式の圧縮データであり、よって、複数のＶＯＢファイル、ＩＦＯファイル及びＢＵＰファイルを含み、その中で、個々のＶＯＢファイルはビデオや音声、字幕などの多種類のストリームを合併している。従って、ＶＯＢファイルの内容には、更に、数個の完全のＩピクチャ、参考のＰピクチャ、修正のＢピクチャが含まれる。
【００３２】
本発明は上述のタイマー２５とビデオ編集ユニット５０を含み、その中でタイマー２５が更に時間の計量装置（ｔｉｍｅ  ｒｅｇｉｓｔｅｒ）を有しており、ビデオをキャプチャする時間を計算する。その上、上述のタイマー２５が提供したフレームレートは可変的な変動値である。その最初の値はシステムの初期設定値であり、内容は主に一般的なビデオ再生のシーン或いはチャプタの時間であり、使用者はキャプチャしたい時間に基づいて、ダイナミックにフレームレートの設定を変更し、使用者の要求するファイルの内容の一致をする。上述のビデオ編集ユニット５０は上述の第２ストレージ４５に保存されるビデオデータを上述のビデオ編集ユニット５０に読み込んで、追加、削除、移動などの動作をする。
【００３３】
図２は、本発明のディスプレイ・ユニットを有するビデオ転送の構造を示す。図２に於いて、本発明は更にディスプレイ・ユニット４０を含んでおり、上述のデコーダー３５がデコードしたビデオデータを受信し、再生動作をする。そして、上述のタイマー２５のフレームレートに基づいて、上述の画像キャプチャ・ユニット２０がディスプレイ・ユニット４０の再生しているビデオデータをキャプチャする。
【００３４】
図３は、本発明のビデオ編集ユニットを示す。図３に於いて、上述のビデオ編集ユニット５０は、システム初期５０１により設定され、ファイル機能５０２を提供し、その機能はファイルのオープンやセーブなどの機能である。編集機能５０３はコピーやペーストなどの機能を提供する。ビュー機能５０４は拡大、縮小、再生設定などの機能であり、オブジェクト機能５０５はリセット、ディゾルブ（ｄｉｓｓｏｌｖｅ）、ビデオ合成などの機能であり、フレーム機能５０６は画像の追加及び削除、文字の書き込みなどの機能を提供し、特殊効果５０７はウォーターマーク、フィルター、モザイク効果を提供する。使用者は、上述のビデオ編集ユニット５０により、ビデオを編集する前にファイルの内容をチェックし、それにより編集されたビデオが使用者の予定した通りになる。
【００３５】
図４は、本発明の画像制限の転送システムを示す。図４において、本発明のコンピュータシステムにおける、連続するビデオ信号を転送する転送システムは、更に検出器２５’を含む。検出器２５’はＰフレームの差値を提供し、Ｐフレームの差値がディスプレイ・ユニット４０で再生しているビデオデータのＰピクチャの変化量と比較され、Ｐピクチャの変化量がＰフレームの差値より小さい、即ち、画像間の差があまり大きくないとき、Ｐピクチャのキャプチャが行われない。その中に、使用者の要求に基づき、中央処理装置１５によりそのＰフレームの差値をダイナミックに調整する。その上に、Ｐピクチャの部分には、本発明はディスプレイ・ユニット４０で再生しているビデオの全てのＢピクチャをキャプチャし、上述のビデオ編集ユニット５０により、Ｂピクチャを適合させる。このように、画像のキャプチャ動作を完了すると、キャプチャされた画像を滑らかに再生できることに加え、そのフレームレートとＰフレームの差値の設定により、転送ユニット５５の生成するファイルのサイズを能率的に減少させることができる。
【００３６】
本発明におけるシステムと方法を更に理解できるようにするため、図５を提供する。図５は、本発明の好適な一実施の形態の流れ図である。図５において、発明のコンピュータシステムにおける連続するビデオ信号を転送する転送方法は、主に以下のステップを含む。
ステップＳ１：使用者により少なくとも１つのビデオファイルを第１ストレージに保存し、
ステップＳ２：入力ユニットにより、ビデオのキャプチャ指令を中央処理装置に送り、
ステップＳ３：指令を受信した後、画像キャプチャ・ユニットを駆動してビデオのキャプチャをし、
ステップＳ４：画像キャプチャ・ユニットにより、タイマーの提供するフレームレートと検出器の設定するＰフレームの差値を読み取り、
ステップＳ５：デコーダーにより第１ストレージに保存されたビデオデータを読み取ってデコードし、
ステップＳ６：デコードされたビデオデータを受信して、ディスプレイ・ユニットによって再生し、
ステップＳ７：画像キャプチャ・ユニットによりフレームレートに基づいて上述のディスプレイ・ユニットが再生しているビデオデータをキャプチャし、その中に、Ｐピクチャの変化量がＰフレームの差値より大きい
ステップＳ８：そのキャプチャした画像を第２ストレージに保存し、
ステップＳ９：ビデオ編集ユニットにより、画像キャプチャ・ユニットのキャプチャしたビデオを編集し、編集完了の後、第２ストレージに保存し、
ステップＳ１０：転送ユニットにより第２ストレージに保存したデータをコード転送し、
ステップＳ１１：より小さいファイルサイズの動画ファイル或いはビデオファイルを送出する。
【００３７】
本発明の実務上の応用を更に説明すると、インターネット販売の商業モードを例として説明する。図６は、本発明の好適な一実施の形態の商業モードを示す。図６において、サーバ装置７０がブラウズ側６０の消費活動を継続的に受信し、ブラウズ側６０がショッピング・ホームページ６５に入るとき、閲覧したい商品紹介のビデオファイルをクリックし、そのホームページ６５が即時にデータベース７５から本発明により生成したより小さい商品紹介のビデオファイルを読み出し、ブラウズ側６０がオンライン再生によって閲覧する。上述の商品紹介のビデオファイルがより小さいサイズのファイルなので、ダウンロード過程において、ブラウズ側６０は待つ時間があまり長くない。ブラウズ側６０は商品紹介のビデオファイルを見て、購買欲望を起こし、消費プラットホーム８０により注文をする。
【００３８】
結論としては、本発明は、コンピュータシステムにおける、連続するビデオ信号を転送する転送システム及び方法に係る。本発明のシステムにおいては、タイマーがフレームレートを提供し、検出器がＰピクチャの差の程度を比べるためにＰフレームの差値を提供して、使用者が外部の指令を入力するときに中央処理装置が入力ユニットからの指令を受信し、画像キャプチャ・ユニットを作動させてビデオをキャプチャし、第１ストレージが少なくとも１つのビデオデータを提供し、デコーダーにより第１ストレージに保存したビデオデータを読み出してデコードし、ディスプレイ・ユニットによりデコーダーのデコードしたデータを読み出して再生し、画像キャプチャ・ユニットがそのフレームレートとＰフレームの差値を参考としてディスプレイ・ユニットの再生しているビデオデータをキャプチャして第２ストレージに保存し、転送ユニットが第２ストレージに保存されたビデオデータをコード圧縮して、より小さいサイズの動画ファイル或いはビデオファイルを形成する。本発明は、使用者側の求めを満足し、キャプチャの時間とＰフレームの差値とがダイナミックに設定でき、また、ビデオ編集ユニットの提供により、予定通りのファイルを形成する。キャプチャされたビデオは滑らかに表示でき、予想の宣伝効果が生ずる。更に、本発明は電子商取引に応用でき、帯域幅の制限の場合にも、より小さいサイズのファイルを提供し、アクセスのスピードを効果的に増加し、使用者側のファイルダウンロード時間を短くできる。
【００３９】
上記の説明は実施例を例示しているだけであり、本発明の実施範囲を制限するものでないと理解されなければならない。本発明は、本発明の思想を逸脱しない限り種々の改変を為すことができ、また本発明がその改変されたものに及ぶことは言うまでも無い。
【図面の簡単な説明】
【００４０】
【図１】本発明の連続するビデオ信号を転送するコンピュータシステムを示す図である。
【図２】本発明のディスプレイ・ユニットを有するビデオ転送の構造を示す図である。
【図３】本発明のビデオ編集ユニットを示す図である。
【図４】本発明の画像の制限の転送システムを示す図である。
【図５】本発明の好適な一実施の形態の流れ図である。
【図６】本発明の好適な一実施の形態の商業モードを示す図である。
【符号の説明】
【００４１】
１０    入力ユニット
１５    中央処理装置
２０    画像キャプチャ・ユニット
２５    タイマー
２５’    検出器
３０    第１ストレージ
３５    デコーダー
４０    ディスプレイ・ユニット
４５    第２ストレージ
５０    ビデオ編集ユニット
５０１    システム初期
５０２    ファイル機能
５０３    編集機能
５０４    ビュー機能
５０５    オブジェクト機能
５０６    フレーム機能
５０７    特殊効果
５５    転送ユニット
６０    ブラウズ側
６５    ショッピング・ホームページ
７０    サーバ装置
７５    データベース
８０    消費プラットホーム
【図１】
2005323334.tif 000003
【図２】
2005323334.tif 000004
【図３】
2005323334.tif 000005
【図４】
2005323334.tif 000006
【図５】
2005323334.tif 000007
【図６】
2005323334.tif 000008